(57)【要約】【課題】  本発明は、衣装ケース引き出し用の除湿剤を、衣類の一番上に安定的に維持できる除湿剤設置トレーを提供する。【解決手段】  直方体丸角箱型のトレー本体と、それを衣装ケースに取付ける為の取付けベルトから成るが、トレー本体は、上方に全面開放してあり、格子以外の領域は抜けた状態になって、除湿剤載置部を成し、対向する長手壁面には、各々の中央部に細横長の通し孔があって、そこに取付けベルトを両サイドへ通し抜けてあり、対向する短手壁面には、通気性を確保するエアーパス部を設けてあり、取付けベルトの両端には取付けフック部との中間域に、スライド式に取付けベルトの長さ調節をするアジャスターを備えていることを特徴とする衣装ケース用除湿剤設置トレー。【選択図】図１
2020025949.tif 000002
【特許請求の範囲】
【請求項１】
直方体丸角箱型のトレー本体と、それを衣装ケースに取付ける為の取付けベルトから成るが、
トレー本体において、
上方に全面開放してあり、
底面は、短手方向に平行に、間隔をおいて２つ又は複数の格子が設けてあり、格子以外の領域は抜けた状態になって、除湿剤載置部を成し、
四方壁面において、
長手壁面は、各々の中央部に細横長の通し孔があって、そこに取付けベルトを両サイドへ通し抜けてあり、
短手壁面は、対向する各々の両端の小幅域を残して、そこから内側域は、上端開口縁から下方へ約半分の高さまで切欠いたような形になってエアーパス部を成し、
取付けベルトにおいて、
トレー本体を通し抜けた両端に取付けフック部が設けてあり、取付けフック部と通し孔との中間域に、スライド式に取付けベルトの長さ調節をするアジャスターを備えていることを特徴とする衣装ケース用除湿剤設置トレー。
【発明の詳細な説明】
【技術分野】
【０００１】  本発明は、衣装ケース用の袋入りの除湿剤（以下、除湿剤と称す）を、衣類の一番上に安定保持し置くためのトレーに関するものである。
【背景技術】
【０００２】  従来、除湿剤は、直接衣類の一番上に単に乗せ置くだけだったため、衣類の出し入れに伴って横へ下へと押しやられるままになり、いつの間にか行方不明になることが多かった。
【発明の概要】
【発明が解決しようとする課題】
【０００３】  そのために次のような問題点があった。
（イ）  除湿剤の一般的な正しい使用方法とされるのは、袋の指定されている面を必ず上に向けて、抽斗内に収納されている衣類の一番上に衣類と水平になる状態でそのまま乗せ置くというものである。使用上の注意書としては、ポケットやバッグの中に入れて使用しないこと、除湿剤を平らではなく縦にした状態で使用しないこと、吸湿面を汚したり上から圧迫すると袋内に吸湿された液が染み出し、衣類を汚したり革製品を変質させるおそれがあること等が挙げられている。
しかし実際は、衣類の一番上に除湿剤が置かれている状態でその下にある衣類の出し入れを行うと、ただ乗せ置いているだけの除湿剤は滑ってしまうため、その都度除湿剤が滑らないように手で押さえながら衣類を取り出したり、除湿剤を一度取り出すか、または、滑ってずれたり抽斗内の脇等に滑り落ちてしまった除湿剤を再び元の位置に戻さなくてはならないという手間がかかった。
更に衣類の出し入れを繰り返し行っていると、上に向けておかなければならない袋の面がいつの間にかひっくり返って下になったり、脇にずれてしまって除湿剤がいつの間にか斜めや縦になったまま放置されっぱなしになったりしてしまう。また、衣類と衣類の間に挟まってしまったり、抽斗内の奥や底等に入り込んだままになってしまったりすると、除湿剤自体が目に付きにくい状況になるため、間違った使用状態になっていることに気が付かないまま長期間放置してしまうことになり、更には衣類を詰め込んで除湿剤を上から圧迫してしまい、中身が漏れ出したりとか、ゆゆしき事態を招いてしまう。また、衣類が抽斗の上部一杯一杯に入っている状態のときに、その上に除湿剤を乗せ置いて抽斗の開け閉めを行っていると、除湿剤が抽斗内から押し出されてしまい、抽斗とケース本体との間に挟まってしまうこともある。
特に奥行きが長く、収納容量の大きな押し入れサイズの衣装ケースの抽斗には、除湿剤を２袋使用することが多く、上記のような状態がより深刻になって、除湿剤が正しく使われることは極めて難しい。
（ロ）  除湿剤は吸湿状態に応じて新しいものと取り替えなくてはならない。季節や湿気の状態によって異なるものの、除湿有効期間の目安は概ね３〜４ヵ月となっており、注意書として１年以内に必ず取り替えることになっている。しかし、上記（イ）に述べたような事情によって、除湿剤の吸湿状態を確認しづらい状況になってしまったり、確認しないまま放置状態になってしまった結果、圧迫等により袋内の液が染み出してしまったり、袋内に吸湿された水分によってカビが生えてしまうこともある。
（ハ）  除湿剤の正しい使用方法に目を通した設置者のみが使用する衣装ケースの抽斗だけでも、上記（イ）や（ロ）の状態になりやすいのに、他に子供や男性、お年寄り等の家族がいる場合、家族それぞれが使用する衣装ケース内の除湿剤の管理もとなれば更に大変であり、（イ）や（ロ）の状態になりやすくなる。だからといって、各自に除湿剤の使用方法を徹底させるのは更に困難である。
本発明は、これらの問題点を解決するためになされたものである。
【課題を解決するための手段】
【０００４】  直方体丸角箱型のトレー本体と、それを衣装ケースに取付ける為の取付けベルトから成る。
トレー本体において、
上方に全面開放してあり、
底面は、短手方向に平行に適度な間隔をおいて２つ又は複数の格子が設けてあり、格子以外の領域は抜けた状態になって、除湿剤載置部を成し、
約１０ミリ高さの四方壁面において、
対向する長手壁面は、各々の中央部に細横長の通し孔があって、そこに幅広ゴムベルト状の取付けベルトを両サイドへ通し抜けてあり、
対向する短手壁面は、各々の両端域数ミリ幅を残して、そこから内側域は、上端閉口縁から下方へ約半分の高さまで切欠いた様な形で、抽斗の中が衣装ケースの天井まで満杯になった最上部に置かれた時でも通気し易いエアーパス部を成し、
取付けベルトにおいて、
トレー本体を通し抜けた両端に取付けフック部が設けてあり、取付けフック部と通し孔との中間域に、スライド式に取付けベルトの長さ調節をするアジャスターを備えている。
以上を特徴とする衣装ケース用除湿剤設置トレーである。
【発明の効果】
【０００５】（イ）  除湿剤を収めたトレー本体が、抽斗の上端縁の高さレベルに固定された取付けベルトを介して、常に積み重なった衣類の最上部に乗り、且つ水平に保たれる。
（ロ）  トレー本体上部に通し抜けてある取付けベルトは、除湿剤載置部に載せた除湿剤を押さえて、トレー本体から出てしまうことを防ぐ役割を成す。
（ハ）  上記（イ）（ロ）により、除湿剤が縦や斜めになって水平状態が保てなくなったり、衣類の間に紛れ込んで行方不明になったりする心配がない。それ故、気付かれぬままいつの間にかカビが生えたり、上からの圧迫等での液漏れで衣類にシミがついたりする心配もない。
（ニ）  トレー本体は、取付けフック部を抽斗の端に沿ってスライドさせれば移動が可能であるため、衣類の出し入れ時にトレーが邪魔になることもない。
（ホ）  設置した本人であれ他の家族であれ、誰もが、衣装ケースの抽斗を開ける度に、本発明に成る除湿剤設置トレーが目の前に現れるので、吸湿状態が分かり、除湿有効期間の確認もしやすいため、新しい除湿剤との取り替え交換が適時に為されうる。
（ヘ）  除湿剤が収めてある除湿剤載置部の通気環境は、上方に全面開放され、底面は格子を除く残余域が全て抜けて下方へ開放されており、且つ、衣類が抽斗満杯に衣装ケース本体の天井まで詰め込まれて、本発明がその衣類の最上部に乗ってケース本体の天井面によって上方を塞がれた状態であったとしても、本発明の両サイドに設けられたエアーパス部によって通気性が確保されているため、除湿剤の吸湿効果を損なうこともない。
（ト）  アジャスターによってベルトの長さを抽斗の横幅に合わせたり、ケース本体内壁と抽斗内壁面との隙間が狭くてフック部が突っかえる場合でも、アジャスタ−でベルトの張りを少しきつくするだけで抽斗の開け閉めがスムーズになるなど、どのようなタイプの衣装ケースの抽斗にでも適応する。
【図面の簡単な説明】
【０００６】
【図１】  本発明の斜視図
【図２】  本発明において、取付けベルトをダブルで設けた実施例を示す斜視図
【図３】  本発明を横長の抽斗に取付けた状態を示す平面図
【図４】  本発明を縦長の抽斗に取付けた状態を示す平面図
【図５】  本発明を奥行の深い抽斗に２個取付けた状態を示す平面図
【図６】  本発明の使用に際し、もし抽斗に取付けた取付けフック部が衣裳ケースのケース本体内壁に突っかえる場合に、アジャスタ−でベルトをきつく締めて、抽斗内壁面を僅かに内側へ引っ張って、ケース本体内壁面との間にかすかに隙間を作って、スムーズに抽斗の引出し作業が出来るようにした状態を示す平面図
【発明を実施するための形態】
【０００７】  以下、本発明の実施の形態について説明する。
トレー本体（１）において、上方に全面開放してあり、除湿剤（Ｄ）の入った袋を一回り大きくしたくらいの、約１５０ミリ×１１０ミリの直方体丸角箱型であり、底面は、短手方向に平行に適度な間隔をおいて２つ又は複数の格子（４）が設けてあり、格子（４）以外の領域は、通気し易いように、抜けた状態になって、除湿剤載置部（５）を成す。
約１０ミリの高さの四方壁面において、対向する長手壁面は、各々の中央部に細横長の通し孔（６）があり、そこに幅広ゴムベルト状の取付けベルト（２）を、トレー本体（１）の上部を通過するように両サイドへ通し抜けてある。
対向する短手壁面は、各々の両端域数ミリ幅を残して、そこから内側域は、上端開口縁（３）から下方へ約半分以下の高さまで切り欠いたような形で、抽斗（Ｃ）の中が衣装ケース（Ａ）の天井までほぼ満杯になった最上部に置かれた時でも、通気し易いエアーパス部（７）を成している。
取付けベルト（２）において、トレー本体（１）を通し抜けた両端に取付けフック部（８）が設けてあり、取付けフック部（８）と通し孔（６）との中間域に、スライド式に取付けベルト（２）の長さ調節をするアジャスター（９）を備えている。
取付けベルト（２）のおよその幅は、一つの抽斗（Ｃ）に対し、１本使用の場合は約２５０ミリから３００ミリ、２本使用の場合は約１００ミリから１５０ミリくらいが好ましい。
本発明は以上のような構成である。
本発明を使用するときは、トレー本体（１）を抽斗（Ｃ）に収めてある衣類の最上部に乗せ、除湿剤載置部（５）に除湿剤（Ｄ）の指定されている面を上にして載せ置く。次に取付けフック部（８）を抽斗（Ｃ）上部両端に引っ掛けて固定し、最後に両方のアジャスター（９）をスライドさせて、抽斗（Ｃ）の横幅と衣類の高さに合わせて調節する。この時、トレー本体（１）が一番上の衣類と接触している状態になるように、取付けベルト（２）の張りを調節する。
または、トレー本体（１）を衣類の一番上に乗せ置き、先に取付けフック部（８）を抽斗（Ｃ）の上部両端に引っ掛けて固定してから、除湿剤（Ｄ）をセットしてもよい。
尚、殆どの衣装ケース（Ａ）の抽斗（Ｃ）上部の端は逆Ｌ字となっているため、そこに取付けフック部（８）を引っ掛けることができる。
図３は、除湿剤（Ｄ）をセットした状態で横長の抽斗（Ｃ）に設置したものであり、図４は縦長の抽斗（Ｃ）に設置したものである。
図１に示すように、取付けベルト（２）が１本で取付けフック部（８）が２箇所の方が、手間が少なく設置しやすいが、除湿剤（Ｄ）を載せ置いた状態でのトレー本体（１）の維持強化や、除湿剤（Ｄ）のずれ等を更に防止するために、図２に示すように取付けベルト（２）を２本にして取付けフック部（８）を４箇所設けるようにしてもよい。
奥行きが長く収納容量の大きな押し入れサイズの衣装ケース（Ａ）等、除湿剤（Ｄ）が２袋必要な場合には、図５に示すように、奥行きの長さに対して均等に、２個の衣装ケース用除湿剤設置トレーを設置するとよい。
抽斗（Ｃ）の開け閉めの際に衣装ケース（Ａ）本体内壁に取付けフック部（８）が突っかえる場合は、図６に示すように、抽斗（Ｃ）の左右内壁面がやや内側に向けて湾曲するようにアジャスター（９）で取付けベルト（２）の張りを少しきつくするだけで、スムーズに開け閉めできるようになる。尚、図６は、抽斗（Ｃ）内壁面の湾曲状態が分かりやすいように大幅に内側へ曲げているが、実際には、ほんの数ミリ程度内側に湾曲させるだけで取付けフック部（８）が衣装ケース本体（Ａ）内壁に突っかえなくなり、抽斗（Ｃ）の開け閉めがスムーズになる。
【符号の説明】
【０００８】１  トレー本体，    ２  取付けベルト，    ３  開口縁，    ４  格子，
５  除湿剤載置部，    ６  通し孔，    ７  エアーパス部，    ８  取付けフック部，９  アジャスター，
Ａ  衣装ケース，    Ｂ  ケース本体，    Ｃ  抽斗，    Ｄ  除湿剤
【図１】
2020025949.tif 000003
【図２】
2020025949.tif 000004
【図３】
2020025949.tif 000005
【図４】
2020025949.tif 000006
【図５】
2020025949.tif 000007
【図６】
2020025949.tif 000008